(57)【要約】【課題】三次元調整でプリントヘッドの調整モジュールを有効に調整し、構造が簡単で、各種構造に適用する大型インクジェットプリンタのプリントヘッド調整モジュールを提供する。      【解決手段】大型インクジェットプリンタのプリントヘッド調整モジュールは、基台と複数個の調整台を含み、そのうち基台はプリントヘッド移動モジュールに結合し、複数個の調整台は基台上に各々跨って設置してプリントヘッドを結合する。これらの調整台には停止塊を結合し、その停止塊上に第一〜四調整器を設置し、そのうち第一〜三調整器の間は直角三角形を形成し、第四調整器は先ほどの直角三角形の重心を形成して調整台に穿設する。第一〜三調整器を回転させると、プリントヘッドを調整し、第四調整器を回転させると、停止塊を押して調整台とプリントヘッドを固定する。【選択図】図１
0003127544.tif 000002
【実用新案登録請求の範囲】
【請求項１】
基台と、複数個の調整台とから構成された大型インクジェットプリンタのプリントヘッド調整モジュールにおいて、
前記基台は、プリントヘッド移動モジュール上に結合し、且つ中央部分に設置空間を形成し、
前記複数個の調整台は、前記基台の設置空間内にそれぞれ跨いで設置し、そこにプリントヘッドを結合し、これらの一側面上に停止塊を結合し、その停止塊上に第一、第二、第三、第四調整器を穿設し、そのうち第一、第二、第三調整器の間は枠で直角三角形を形成し、第四調整器は第一、第二、第三が形成する直角三角形の重心で、それを穿設して第一、第二、第三調整器を回転させることによりプリントヘッドを調整し、また第四調整器を回転して停止塊を押すことにより、前記調整台とプリントヘッドを固定することを特徴とする大型インクジェットプリンタのプリントヘッド調整モジュール。
【請求項２】
前記調整台は、底板と側面板とから構成され、前記側面板の底部両端は底板の一側面に止め、組み立てることによりＬ字型形状を形成し、前記底板に開口を形成し、そこにプリントヘッドを結合し、前記側面板上に止め孔を形成して第四調整器を差し込むことにより、停止塊を側面板上に固定することを特徴とする請求項１記載の大型インクジェットプリンタのプリントヘッド調整モジュール。
【請求項３】
前記第一、第二、第三調整器は調整ネジとし、また第四調整器は調整ネジ、バネ、パッドを含むことを特徴とする請求項１記載の大型インクジェットプリンタのプリントヘッド調整モジュール。
【請求項４】
前記第一調整器は、停止塊の中央部下端に設置し、第二調整器は停止塊の中央部分の第一調整器に相対する上端に設置し、第三調整期は停止塊の過度に設置することを特徴とする請求項１記載の大型インクジェットプリンタのプリントヘッド調整モジュール。
【請求項５】
前記第一調整器は、プリントヘッドを同一レベル上に前後調整し、第二調整器はプリントヘッドを上下調整して印刷の範囲を平均に保ち、第三調整器はプリントヘッドを左右調整して偏ったプリントヘッドを同一水平に校正することを特徴とする請求項１記載の大型インクジェットプリンタのプリントヘッド調整モジュール。
【考案の詳細な説明】
【技術分野】
【０００１】
本考案は、大型インクジェットプリンタのプリントヘッド調整モジュールに関する。
【背景技術】
【０００２】
パソコン、若しくはプリント業界の周辺設備の中で、プリンタは必須の基本設備の一つである。文書、レポートをプリントする以外に、カラーインクジェット技術が進歩したことによって、インクジェットプリンタは異なる色のインクボトルから同一位置に異なる濃度の色を吹き付け、様々な色を出すことが可能となった。このため、プリンタで銀写真と同レベルのプリントをすることは夢ではなくなった。
【０００３】
印刷業者にとって、インクジェットプリンタの使用は世界の趨勢であり、多種少量の製品にとってタイムリーに運用できるインクジェットプリンタの吹き付けによるプリントは、すぐに手に取る事ができ、時間や作業を節約でき、競争力が物を言う時代に適している。
【０００４】
大型インクジェットプリンタは、使用前に操作者がプリントヘッド移動モジュール上に設置するプリントヘッドに対して校正を行う必要がある。しかしながら、現在プリントヘッド移動モジュールには良好な調整装置がない上、複数組のプリントヘッドが製作誤差と組立誤差とを、操作者は経験によって調整しなければならないため、印刷されたものに色相の捩れや粗紋現象が発生してしまうことがあった。
【考案の開示】
【考案が解決しようとする課題】
【０００５】
本考案の主な目的は、構造が簡単で容易に調整でき、且つ三次元多方向に調整できる大型インクジェットプリンタのプリントヘッド調整モジュールを提供することにある。
【０００６】
上述の目的のため、本考案の大型インクジェットプリンタのプリントヘッド調整モジュールは、基台と複数個の調整台を含み、その基台はプリントヘッド移動モジュール上に結合し、且つその基台中央部分に設置空間を形成する。複数個の調整台は各々基台の設置空間内に跨いで設置し、そこにプリントヘッドを結合する。これら調整台の一側面上に停止塊を結合し、その停止塊上に第一、第二、第三、第四調整器を穿設する。そのうち、第一、第二、第三調整器の間は直角三角形の枠形を形成し、第四調整器が第一、第二、第三調整器が枠形成した直角三角形の重心を形成して調整台に穿設する。
【０００７】
これにより、第一、第二、第三調整器を回転させると、プリントヘッドを調整し、第四調整器を回転して停止塊を押さえると、調整台とプリントヘッドを固定する。
【課題を解決するための手段】
【０００８】
本考案の大型インクジェットプリンタのプリントヘッド調整モジュールは、基台と、複数個の調整台とから構成された大型インクジェットプリンタのプリントヘッド調整モジュールにおいて、
前記基台は、プリントヘッド移動モジュール上に結合し、且つ中央部分に設置空間を形成し、
前記複数個の調整台は、前記基台の設置空間内にそれぞれ跨いで設置し、そこにプリントヘッドを結合し、これらの一側面上に停止塊を結合し、その停止塊上に第一、第二、第三、第四調整器を穿設し、そのうち第一、第二、第三調整器の間は枠で直角三角形を形成し、第四調整器は第一、第二、第三が形成する直角三角形の重心で、それを穿設して第一、第二、第三調整器を回転させることによりプリントヘッドを調整し、また第四調整器を回転、即ち停止塊を押すことにより、前記調整台とプリントヘッドを固定する。
【考案の効果】
【０００９】
本考案の大型インクジェットプリンタのプリントヘッド調整モジュールは、三次元調整で有効に調整し、構造が簡単で、各種大型インクジェットプリンタに適用することができる利点がある。
【考案を実施するための最良の形態】
【００１０】
以下、図面を参照して本考案の実施例を説明する。
【実施例】
【００１１】
図１から図６は、本考案の一実施例を示している。大型インクジェットプリンタのプリントヘッド調整モジュール１は、基台２と複数個の調整台３から構成されている。この基台２は、プリントヘッド移動モジュール４上に結合し(図６参照)、且つ基台２中央部には設置空間２１を形成する(図１参照)。
【００１２】
図１から図４に示すとおり、複数個の調整台３は、上述の基台２の設置空間２１内にそれぞれ設置する。前記調整台３は、底板３１と側面板３２とから構成され、その側面板３２の底部両端を底板３１の底板側面３１１で固定してＬ字型を形成する。この底板３１には、開口３１２が形成され、この開口３１２でプリントヘッド５を結合する。
【００１３】
これらの調整台３の側面板３２上には停止塊３３が結合され、その停止塊３３上には第一、第二、第三、第四調整器３３１〜３３４を穿設し、この第一、第二、第三調整器３３１、３３２，３３３は、それぞれが調整ネジであり、そのうち第一調整器３３１がプリントヘッド５を同一レベル上に前後調整し、第二調整器３３２がプリントヘッド５を上下調整し、プリントする範囲を平均に保つことができるようになっている。    前記第三調整器３３３は、プリントヘッド５を左右調整して傾いたプリントヘッド５を同一レベルに校正するためのものである。また、第四調整器３３４は、調整ネジ３３４１、バネ３３４２、パッド３３４３を含み、停止塊３３と調整台３側面板３２の結合を確実にするようになっている。
【００１４】
第一調整器は、停止塊３３の中央部分下端に設置し、第二調整器３３２は停止塊３３の中央部分の第一調整器３３１に相対する上端に設置し、第三調整器３３３は停止塊３３の角部に設置する。これによって、第一、第二、第三調整器３３１、３３２、３３３の間は直角三角形が形成され、第四調整器３３４は第一、第二、第三調整器３３１、３３２、３３３の枠で直角三角形の重心を形成する。別に、側面板３２上に止め孔３２１を設置し、第四調整器３３４を止めた後、停止塊３３を側面板３２上に固定する。
【００１５】
これにより、第一、第二、第三調整器３３１、３３２，３３３を回転させると、プリントヘッド５を調整し、第四調整器３３４を回転させると、停止塊３３を押して調整器３とプリントヘッド５が固定される。
【００１６】
実施時、図４〜図６に示すとおり、先ず使用の要求に基づき、大型インクジェットプリンタのプリントヘッド５の数と共に、その数と同じ調整台３を基台２上に跨いで設置し、続いてプリントヘッド５と結合し、プリントヘッド５が調整台３の底板３１上に結合される。
【００１７】
本考案のプリントヘッド調整モジュール１は、プリントヘッド５と結合した後、使用者は停止塊３３上の第一、第二、第三調整器３３１、３３２、３３３を順に調整し、第一調整器３３１を調整した時、同一レベル上に於いてプリントヘッド５を前後に調整し、第二調整器３３２を調整すると、プリントヘッド５を上下に調整して印刷の範囲を平均に保ち、プリントの不均衡を防止する。また、第三調整器３３３を調整すると、プリントヘッドを左右に調整し、左若しくは右へ傾いたプリントヘッド５を水平に校正し、加工部品に対して真っ直ぐにする。最後に、必要な位置に調整した後、第四調整器３３４を停止塊３３内に止め、停止塊３３を調整台３の側面板３２上にしっかりと固定する。
【００１８】
上述の説明及び図は、本考案の目的である、構造が簡単で調整かが容易且つ三次元多方向に調整する大型インクジェットプリンタのプリントヘッド調整モジュールを提供するために、本考案の具体的な実施例を挙げたものである。依って本文に係わるいくつもの変更及び修正は、本考案の構想からと同じ効果の変更と看做し、すべて本考案の技術的範囲とする。
【図面の簡単な説明】
【００１９】
【図１】本考案実施例のプリントヘッド調整モジュールの立体外観図である。
【図２】本考案実施例の調整台の立体外観図である。
【図３】本考案実施例の調整台の立体外観図分解図である。
【図４】本考案実施例のプリントヘッドを調整台上に結合した立体外観図である。
【図５】本考案実施例のプリントヘッドをプリントヘッド調整モジュールに結合した立体外観図である。
【図６】本考案実施例のプリントヘッド調整モジュールをプリントヘッド移動モジュールに設置した使用状態指示図である。
【符号の説明】
【００２０】
１        プリントヘッド調整モジュール
２        基台
２１        設置空間
３        調整台
３１        底板
３１１        底板
３１２        開口
３２        側面板
３２１        止め孔
３３        停止塊
３３１        第一調整器
３３２        第二調整器
３３３        第三調整器
３３４        第四調整器
３３４１        調整ネジ
３３４２        バネ
３３４３        パッド
４        プリントヘッド移動モジュール
５        プリントヘッド
【図１】
0003127544.tif 000003
【図２】
0003127544.tif 000004
【図３】
0003127544.tif 000005
【図４】
0003127544.tif 000006
【図５】
0003127544.tif 000007
【図６】
0003127544.tif 000008